(57)【要約】【課題】少ないデータ記憶容量で機械的露出偏差に対応し狙いの露出特性を容易に得る制御を行ない得るカメラの露出制御装置とその露出制御方法を提供する。【解決手段】レンズシャッターを有するカメラの露出制御装置１０において、撮影時の被写体輝度状態を検出して測光値情報を出力する測光部１と、撮影時の絞り値を演算して絞り値情報を出力する絞り値演算部３と、予め決められた複数の被写体輝度状態に対して狙いの露出特性を得るためのシャッター制御秒時の圧縮データを記憶した秒時圧縮データ記憶部４と、測光部と絞り値演算部の各出力と秒時圧縮データ記憶部のデータに基づいてシャッター制御データを演算するシャッター制御データ演算部５と、シャッター制御データ演算部の出力データを伸長するデータ伸長部６と、データ伸長部により得たシャッター制御秒時でレンズシャッターを駆動制御するシャッター駆動部７とを備えてなる。【選択図】図１
2005141095.tif 000002
【特許請求の範囲】
【請求項１】
レンズシャッターを有するカメラの露出制御装置において、
撮影時の被写体輝度状態を検出して測光値情報を出力する測光部と、
撮影時の絞り値を演算して絞り値情報を出力する絞り値演算部と、
予め決められた複数の被写体輝度状態に対してそれぞれ狙いの露出特性を得るためのシャッター制御秒時の圧縮データを記憶している秒時圧縮データ記憶部と、
上記測光部の出力と上記絞り値演算部の出力とさらに上記秒時圧縮データ記憶部のデータとに基づいてシャッター制御データを演算するシャッター制御データ演算部と、
上記シャッター制御データ演算部による出力データを伸長するデータ伸長部と、
上記データ伸長部により伸長された結果得られるシャッター制御秒時によって上記レンズシャッターを駆動制御するシャッター駆動部と、
を具備したことを特徴とするカメラの露出制御装置。
【請求項２】
上記レンズシャッターは漸開特性を持ち、漸開途中又は全開後に閉じ作動が行われるように駆動制御されるものであって、
上記秒時圧縮データ記憶部に記憶されている記憶データは、上記レンズシャッターの開閉動作時にシャッター開口が全開となる領域用の第１のデータ及び第２のデータと、上記レンズシャッターの開閉動作時にシャッター開口が全開とならない領域用の第３のデータ及び第４のデータとを少なくとも有していることを特徴とする請求項１に記載のカメラの露出制御装置。
【請求項３】
上記秒時圧縮データ記憶部が記憶しているデータに対応していて、当該データの条件となる情報値を記憶している秒時圧縮データ条件記憶部を、さらに有していることを特徴とする請求項１又は請求項２のいずれかに記載のカメラの露出制御装置。
【請求項４】
上記レンズシャッターの開閉動作時にシャッター開口が全開となる領域用の第１及び第２のデータのうち第２のデータと、上記レンズシャッターの開閉動作時にシャッター開口が全開とならない領域用の第３のデータとは、上記レンズシャッターの開閉動作時のシャッター開口が漸開状態から全開状態になる際の境界点の近傍のデータであることを特徴とする請求項２に記載のカメラの露出制御装置。
【請求項５】
レンズシャッターを有するカメラの露出制御方法であって、
撮影時の被写体輝度状態を検出して測光値情報を出力し、
撮影時の絞り値を演算して絞り値情報を出力し、
予め決められた複数の被写体輝度状態に対してそれぞれ狙いの露出特性を得るためのシャッター制御秒時の圧縮データを読み出し、
上記測光値情報と上記絞り値情報と上記シャッター制御秒時の圧縮データとに基づいてシャッター制御データを演算し、
上記シャッター制御データを伸長処理し、
上記伸張処理の結果得られるシャッター制御秒時データによって上記レンズシャッターを駆動制御することを特徴とするカメラの露出制御方法。
【発明の詳細な説明】
【技術分野】
【０００１】
この発明は、カメラの露出制御装置及びカメラの露出制御方法、詳しくはレンズシャッターを有するカメラの露出制御装置と、この露出制御装置によって行なわれる露出制御方法に関するものである。
【背景技術】
【０００２】
従来より、レンズシャッターを備えたカメラにおいては、露光用開口部の開閉制御を行なうことでフイルム等への露出制御を行なう露出制御装置を具備したものが実用化されており、その露出制御方法についての提案も従来より種々なされている。
【０００３】
例えば、特許第２５３８００５号公報によって開示されている露出制御装置は、被写体輝度を測光し対数圧縮した形態の輝度情報の電気信号（輝度値；Ｂｖ値）を得る測光手段と、感材（フイルム等）の感度情報の電気信号（センシティブバリュー；Ｓｖ値）を得る感度入力手段と、撮影レンズの開放Ｆ値情報の電気信号（アパーチャーバリュー；Ａｖ値）を得る開放Ｆ値入力手段とを有し、これら三者によって設定されるＥｖ値（第１露出情報）を演算出力する第１演算手段と、第１露出情報を対数伸長して第２露出情報（時間データ；Ｔｖ値）として出力する対数伸長手段と、この時間データＴｖについての微調整（加減算）を行なって第３露出情報（時間補正データ）を得る第２演算手段と、シャッター駆動用アクチュエータの動作特性に対応した駆動信号のテーブルデータを参照して撮影に使用する最終的な駆動信号（シャッター制御秒時）を決定するシャッター制御手段とを具備して構成されるものである。
【０００４】
また、特開昭６０−１８５９３１号公報やＵＳＰ４７３０２０２号公報によって開示されている露出制御装置は、所定のＥｖ値において所望する露出値（狙いの露出値という）を得ることのできる秒時データを複数記憶したメモリを有しており、このメモリに予め記憶されている複数の秒時データに基づいて露出動作時におけるシャッター秒時を決定する露出制御を実行するというものである。
【特許文献１】特許第２５３８００５号公報
【特許文献２】特開昭６０−１８５９３１号公報
【特許文献３】ＵＳＰ４７３０２０２号公報
【発明の開示】
【発明が解決しようとする課題】
【０００５】
ところが、上記特許第２５３８００５号公報によって開示される露出制御装置においては、対数伸長処理を施した後のＴｖ値に対して微調整用の時間補正を行ない、さらにシャッター駆動用アクチュエータの特性に応じた時間補正処理を施すようにしているため、演算ステップが複雑となってしまい、制御ソフトウエアが大規模なものになってしまい、これを記憶させるための大容量の媒体が必要になるという問題点がある。
【０００６】
また、微調整用の時間補正データや駆動用アクチュエータの特性に応じたデータテーブルを記憶するための媒体、例えばＲＡＭやＥＥＰＲＯＭ等も大容量のものが必要になることから製造コストが増大してしまうという問題点もある。
【０００７】
一方、上記特開昭６０−１８５９３１号公報や上記ＵＳＰ４７３０２０２号公報によって開示されている露出制御装置では、メモリに予め複数の秒時データを秒時単位で記憶するようにしているので、長秒時データと短秒時データとの分解能を合わせた形態のデータにする、長秒時データでは記憶に必要となるビット（ｂｉｔ）数が多くなってしまうことから、秒時データを記憶するメモリ（ＥＥＰＲＯＭ等）や演算展開用のメモリ（ＲＡＭ等）は大容量のものが必要となってしまう。このことから製造コストが増大してしまうという問題点がある。
【０００８】
そこで、このような問題を解決するためには、例えば分解能を区切ることも考えられるが、その場合にはシャッター秒時演算処理が複雑になってしまうので、これを行なうための制御ソフトウエアが大規模なものになってしまう。したがって、これを記憶させるための媒体も大容量のものが必要になってしまうことになる。
【０００９】
本発明は、上述した点に鑑みてなされたものであって、その目的とするところは、予め保持しておくべきデータの記憶容量が少ないのにも関らず、シャッター機構によって機械的に生じる露出の偏差（バラツキ）に対応し得ると共に、長秒時から短秒時までの所定の範囲の秒時において狙いの露出特性を容易に得る制御を行なうカメラの露出制御装置及びカメラの露出制御方法を提供することである。
【課題を解決するための手段】
【００１０】
上記目的を達成するために、本発明によるカメラの露出制御装置は、レンズシャッターを有するカメラの露出制御装置において、撮影時の被写体輝度状態を検出して測光値情報を出力する測光部と、撮影時の絞り値を演算して絞り値情報を出力する絞り値演算部と、複数の予め決められた被写体輝度状態に対してそれぞれ狙いの露出特性を得るためのシャッター制御秒時の圧縮データを記憶している秒時圧縮データ記憶部と、上記測光部の出力と上記絞り値演算部の出力とさらに上記秒時圧縮データ記憶部のデータとに基づいてシャッター制御データを演算するシャッター制御データ演算部と、上記シャッター制御データ演算部による出力データを伸長するデータ伸長部と、上記データ伸長部により伸長された結果得られるシャッター制御秒時によって上記レンズシャッターを駆動制御するシャッター駆動部とを具備したことを特徴とする。
【００１１】
また、本発明によるカメラの露出制御方法は、レンズシャッターを有するカメラの露出制御方法であって、撮影時の被写体輝度状態を検出して測光値情報を出力し、撮影時の絞り値を演算して絞り値情報を出力し、予め決められた複数の被写体輝度状態に対してそれぞれ狙いの露出特性を得るためのシャッター制御秒時の圧縮データを読み出し、上記測光値情報と上記絞り値情報と上記シャッター制御秒時の圧縮データとに基づいてシャッター制御データを演算し、上記シャッター制御データを伸長処理し、上記伸張処理の結果得られるシャッター制御秒時データによって上記レンズシャッターを駆動制御することを特徴とする。
【発明の効果】
【００１２】
本発明によれば、予め保持しておくべきデータの記憶容量が少ないのにも関らず、シャッター機構によって機械的に生じる露出の偏差（バラツキ）に対応し得ると共に、長秒時から短秒時までの所定の範囲の秒時において狙いの露出特性を容易に得る制御を行ない得るカメラの露出制御装置及びカメラの露出制御方法を提供することができる。
【発明を実施するための最良の形態】
【００１３】
以下、図示の実施の形態によって本発明を説明する。  
図１は本発明の一実施形態のカメラの露出制御装置の主たる構成を示すブロック構成図である。また、図２は本実施形態のカメラの露出制御装置の主たる構成の詳細を示すブロック構成図である。図３は、本実施形態の露出制御装置が用いられるカメラのレンズシャッターの動作を説明する図であって、シャッター羽根の開口と時間とによって決定される露出量を示している。また、図４は図３の一部を拡大して示す図である。
【００１４】
そして、図５は本実施形態の露出制御装置を適用したカメラの概略的な作用を示すフローチャートである。図６は図５の処理シーケンスのうちの一部である測光処理シーケンスの詳細を示すフローチャートである。図７は図５の処理シーケンスのうちの一部であるＡＥ演算処理シーケンスの詳細を示すフローチャートである。また、図８は本実施形態の露出制御装置において被写体距離値と焦点距離値とに基づく開放絞り値補正データを示す表である。図９は本実施形態の露出制御装置における第２のＥｖ値と秒時圧縮データとの関係を示す図である。そして、図１０は第２のＥｖ値と秒時圧縮データとの関係の具体例を示す表である。
【００１５】
なお、本実施形態においては、長尺状のロール状フイルムを用いて写真撮影を行なうカメラであって、変倍自在に構成されるズームレンズを備え、かつレンズシャッターを有するカメラに適用される露出制御装置について例示している。
【００１６】
図１に示すように、本実施形態の露出制御装置１０は、撮影時の被写体輝度状態を検出して輝度情報を表わす電気信号である測光値情報（輝度値；Ｂｖ値）を出力する測光部１と、感材（フイルム等）の感度情報をロール状フイルムが巻回されて収納されているパトローネ（図示せず）のＤＸコードから読み取ってこれを感度情報を表わす電気信号（センシティブバリュー；Ｓｖ値）として出力するフイルム感度検出部２と、撮影時における撮影レンズ（図示せず）の絞り値情報を表わす電気信号である絞り値情報（アパーチャーバリュー；Ａｖ値）を出力する絞り値演算部３と、予め決められた複数の被写体輝度状態（露出値；Ｅｖ値）に対してそれぞれ狙いの露出特性を得るためのシャッター制御秒時（秒時データ；Ｔｖ値）の圧縮データが記憶されている秒時圧縮データ記憶部４と、上記測光部１及び上記フイルム感度検出部２及び上記絞り値演算部３及び上記秒時圧縮データ記憶部４からの各出力信号（データ）に基づいてカメラのシャッター機構部８（後述する）を駆動制御するためのシャッター制御データを演算処理するシャッター制御データ演算部５と、シャッター制御データ演算部５の出力データを伸張処理するデータ伸長部６と、データ伸長部６によって伸長された結果得られるシャッター制御秒時を表わす出力信号（データ）を受けて上記シャッター機構部８の駆動制御を行なうシャッター駆動部７等によって構成されている。
【００１７】
なお、シャッター機構部８はシャッター羽根や駆動モータ等によって構成されるいわゆるレンズシャッター機構であって、本実施形態の露出制御装置１０を適用するカメラ（特に図示せず）の一部を構成するものである。このレンズシャッターは、漸開特性を有しており、漸開途中又は全開後の所定の時間内に閉作動が行なわれるように駆動制御されるものである。
【００１８】
上記測光部１は、被写体からの光束を受けて光電変換を行なう受光素子等からなるＡＥセンサ１１と、このＡＥセンサ１１の出力を受けて被写体輝度を表わす輝度情報を算出する信号処理、即ち測光処理を実行する測光処理部１２と、この測光処理部１２による処理結果に基づいて輝度値（Ｂｖ値）を演算し出力するＢｖ値演算部１３等によって構成されている。
【００１９】
上記フイルム感度検出部２は、長尺状のロール状フイルム感材が巻回されるフイルムパトローネ（図示せず）の外周面上に設けられるＤＸコードを読み取るＤＸ接片１４と、このＤＸ接片１４の出力信号（接片信号という）を受けて所定の信号処理を施す接片信号処理部１５と、この接片信号処理部１５の処理結果に基づいて感材（フイルム等）の感度情報、即ちセンシティブバリュー（Ｓｖ値）を演算し出力するＳｖ値演算部１６等によって構成されている。
【００２０】
上記絞り値演算部３は、撮影レンズの開放Ｆナンバーに対応したＡｖ値等の絞り値情報や絞り値補正データ等が予め記憶されている絞り値情報記憶部１７と、撮影レンズ（図示せず）の位置を検出するズームエンコーダ１８と、このズームエンコーダ１８からの出力信号に基づいて設定されている撮影レンズの焦点距離を演算し出力する焦点距離演算部１９と、被写体までの距離情報（以後、被写体距離値又は撮影距離値というものとする）を検出するＡＦセンサ２０と、このＡＦセンサ２０からの出力信号に基づいて被写体までの距離（撮影距離）を演算し出力する被写体距離演算部２１と、上記絞り値情報記憶部１７及び上記焦点距離演算部１９及び上記被写体距離演算部２１からの出力信号に基づいてアパーチャーバリュー（Ａｖ値）を演算し出力するＡｖ値演算部２２等によって構成されている。
【００２１】
上記シャッター制御データ演算部５は、上記測光部１のＢｖ値演算部１３の出力信号（Ｂｖ値）及び上記フイルム感度検出部２のＳｖ値演算部１６の出力信号（Ｓｖ値）に基づいて第１のＥｖ値（ＥＶ１；詳細は後述する）を演算し算出する第１のＥｖ値演算部２３と、この第１のＥｖ値演算部２３の出力信号（ＥＶ１）及び上記絞り値演算部３のＡｖ値演算部２２からの出力信号（Ａｖ値）と後述する秒時圧縮データ条件記憶部２７の秒時圧縮データ条件（ＩＳＯ感度値と絞り値）とに基づいて第２のＥｖ値（Ｅｖ２；詳細は後述する）を演算し算出する第２のＥｖ値演算部２４と、この第２のＥｖ値演算部２４の演算結果（Ｅｖ２）及び後述する秒時圧縮データ条件記憶部２７の秒時圧縮データ条件に基づいてうねり領域（詳細は後述する）を判断するうねり領域判断部２５と、このうねり領域判断部２５からの出力信号と上記秒時圧縮データ記憶部４の秒時圧縮データとに基づいてシャッター機構部８の制御秒時を演算し算出する制御秒時演算部２６等によって構成されている。
【００２２】
上記制御秒時演算部２６の演算結果は、データ伸長部６を介して伸張処理された後、上記シャッター駆動部７へと出力されるようになっている。
【００２３】
上記秒時圧縮データ条件記憶部２７には、上記秒時圧縮データ記憶部４に記憶されている秒時圧縮データに対応するデータの条件となる情報値、即ち条件データであって、例えば感材感度（ＩＳＯ感度値）と絞り値と等のデータが記憶されている。
【００２４】
上記シャッター駆動部７は、上記データ伸長部６からの出力信号を受けてシャッター機構部８の秒時制御を行なうための制御回路、例えばタイマーやカウンタ等からなる秒時制御部２９と、この秒時制御部２９からの出力信号を出力ポートに応じたハイ（ｈｉｇｈ）又はロー（ｌｏｗ）の設定信号に置き換えて出力する制御ポート３０と、この制御ポート３０からの出力を受けてシャッター機構部８を駆動するための駆動回路（ドライバ）であるシャッター駆動回路３１等によって構成されている。
【００２５】
そして、上記シャッター駆動部７のシャッター駆動回路３１の出力信号はシャッター機構部８へと出力されて、その駆動制御が実行されるようになっている。
【００２６】
一般に、写真撮影時の露出は、Ｅｖ値で表わすことができ、このＥｖ値は次の式で表わされるアペックスシステムにより算出される。
【００２７】
Ｅｖ＝Ｂｖ＋Ｓｖ＝Ａｖ＋Ｔｖ    ……（１）
（１）式において、Ｅｖはエクスポージャーバリュー（露出値）、Ｂｖはブライトネスバリュー（輝度値）、Ｓｖはセンシティブバリュー（感材のスピード値、Ａｖはアパーチャーバリュー（絞り値）、Ｔｖはタイムバリュー（シャッター秒時）である。
【００２８】
また、（１）式より、
Ｔｖ＝Ｅｖ−Ａｖ    ……（２）
の関係が成り立つ。
【００２９】
本実施形態においては、第１のＥｖ値演算部２３によって算出される第１のＥｖ値（ＥＶ１）を、上述の（１）式におけるＥｖ値に対応させ、第２のＥｖ値演算部２４によって算出される第２のＥｖ値（Ｅｖ２）を、上述の（２）式におけるＴｖ値に対応させている。
【００３０】
また、一般的なカメラのレンズシャッター機構における露出動作は、図３に示すようになる。即ち、図３において時間Ｔ１の時点でシャッタープランジャーがオフ（ＯＦＦ）状態からオン（ＯＮ）状態に移行すると、若干の時間を置いた後の時間Ｔ２の時点からシャッター機構が作動を開始する。このときレンズシャッターのシャッター羽根は漸開特性を有していることから、時間Ｔ２の時点より漸次開き始める。シャッタープランジャーのオン状態が継続している場合は、図３に示す符号Ａの時点でシャッター羽根による開口は全開状態となり、この状態が継続される。そして、例えば時間Ｔ６の時点でシャッタープランジャーがオフ状態に移行すると、若干の時間を置いた後の時間Ｔ７の時点からシャッター羽根は漸次閉じ始め、時間Ｔ８の時点で全閉状態となる。この場合の露出量は、Ｔ２−Ａ−Ｔ７−Ｔ８で示される台形内の領域となる。つまり、露出量が台形で表わされる場合は、シャッター秒時が長い場合、即ち長秒時に設定される場合である。このように、レンズシャッターのシャッター羽根による開口が全開状態になる時間を含む際の領域を台形領域というものとする。
【００３１】
一方、同様に時間Ｔ１の時点でシャッタープランジャーがオフ状態からオン状態に移行して、時間Ｔ２の時点からシャッター羽根が漸次開き始め、例えば時間Ｔ３の時点でシャッタープランジャーがオフ状態に移行した場合には、時間Ｔ３の時点から若干の時間を置いた後の時間Ｔ４の時点からシャッター羽根は漸次閉じ始め、時間Ｔ５の時点で全閉状態となる。この場合の露出量は、Ｔ２−Ｔ４−Ｔ５で示される三角形内の領域となる。つまり、露出量が三角形で表わされる場合は、シャッター秒時が短い場合、即ち短秒時に設定される場合である。このように、シャッター羽根の開口が全開状態にならない場合の領域を三角領域というものとする。
【００３２】
ところで、図３に示す符号Ａの時点、即ちシャッター羽根が漸開動作している状態から全開状態となる変節点では、図４の拡大図に示すように、シャッター羽根の動作にうねり状の揺らぎが生じることがわかっている。
【００３３】
つまり、この変節点Ａでは、漸開動作しているシャッター羽根がその動作を停止し全開状態が維持されるような動作がなされる。これにより、シャッター羽根の動作にうねり状の揺らぎが生じることになると考えられる。
【００３４】
以下の説明においては、このような揺らぎの生じる領域をうねり領域というものとする。このうねり領域では露出量に揺れが生じてしまうことから、本実施形態の露出制御装置１０においては、当該うねり領域における露出分は除外して露出制御を行なうようにしている。これにより、より正確な露出制御を実行することができるようにしている。
【００３５】
このように構成される本実施形態の露出制御装置１０を適用したカメラにおける概略的な作用を、図５のフローチャートを用いて以下に説明する。
【００３６】
まず、本実施形態の露出制御装置１０を適用したカメラの電源スイッチ（ＳＷ；図示せず）が、当該カメラの操作者によって押圧操作されると、ステップＳ１において、当該カメラの内部回路全体の初期化処理が主制御回路（図示せず）によって実行される。その後、ステップＳ２の処理に進む。
【００３７】
ステップＳ２において、当該カメラの主制御回路は、電源スイッチの状態を確認する。ここで、電源スイッチのオン（ＯＮ）状態が維持されているものと判断されると、ステップＳ４の処理に進む。
【００３８】
また、電源スイッチが再度押圧操作されたことによりオフ（ＯＦＦ）状態であることが確認されると、ステップＳ３の処理に進み、このステップＳ３において、電源スイッチ（ＳＷ）のオフ（ＯＦＦ）処理が実行される。その後、ステップＳ２の処理に戻り、以降の処理を繰り返す。
【００３９】
上述のステップＳ２において、電源スイッチのオン状態の維持が確認されて、次のステップＳ４の処理に進むと、このステップＳ４において、他の操作部材からの入力があるか否かの確認を行なう。その後、ステップＳ５の処理に進む。
【００４０】
ステップＳ５において、撮影レンズ（ズームレンズ）のズーム状態に応じたズームエンコーダ値の読み出しが行なわれる。この場合においては、カメラの主制御回路の指令によってズームエンコーダ１８からの出力信号が読み出される。この出力信号に基づいて焦点距離演算部１９は、所定の演算処理を行なって、ここで設定されている焦点距離値を算出する。その後、ステップＳ６の処理に進む。
【００４１】
ステップＳ６において、上述のステップＳ５の処理で算出された焦点距離情報に基づいて、このとき設定されているズーム状態（焦点距離）に応じた開放Ｆナンバー（ＦＮｏ．）の演算処理が実行される。ここで行なわれる開放Ｆナンバー演算処理は、設定されている焦点距離に応じた開放Ｆナンバーに対応する絞り値（Ａｖ値）を演算する処理である。その後、ステップＳ７の処理に進む。
【００４２】
ステップＳ７において、ファーストレリーズがオン状態にあるか否かの確認がなされる。ここで、ファーストレリーズがオン状態にあることが確認されると、次のステップＳ８の処理に進む。また、ファーストレリーズがオン状態が解除されたことが確認されると、上述のステップＳ２の処理に戻り、以降の処理を繰り返す。
【００４３】
上述のステップＳ７において、ファーストレリーズがオン状態にあることが確認されて、ステップＳ８の処理に進むと、このステップＳ８において、測光処理のシーケンスが実行される（詳細は図６によって後述する）。その後、ステップＳ９の処理に進む。
【００４４】
ステップＳ９において、カメラの主制御回路の指令により絞り値演算部３のＡＦセンサ２０及び被写体距離演算部２１が駆動制御されて、所定のＡＦ処理が実行される。このＡＦ動作において、被写体までの距離情報（被写体距離値；撮影距離値）が演算され算出される。その後、ステップＳ１０の処理に進む。
【００４５】
ステップＳ１０において、カメラの主制御回路の指令により測光部１が駆動制御されて、そのＡＥセンサ１１及び測光処理部１２及びＢｖ値演算部１３によって、所定のＡＥ演算処理が実行される。その後、ステップＳ１１の処理に進む。
【００４６】
ステップＳ１１において、セカンドレリーズがオン状態にされたか否かの確認を行なう。ここで、セカンドレリーズがオン状態にされていることが確認されると、次のステップＳ１３の処理に進む。また、セカンドレリーズがオフ状態であることが確認されると、次のステップＳ１２の処理に進む。このステップＳ１２において、再度ファーストレリーズの状態が確認される。ここで、ファーストレリーズのオン状態が維持されている場合には、上述のステップＳ１１の処理に戻り、以降の処理を繰り返す。また、ファーストレリーズのオン状態が解除されていることが確認された場合には、上述のステップＳ２の処理に戻り、以降の処理を繰り返す。
【００４７】
上述のステップＳ１１において、セカンドレリーズがオン状態にされていることが確認されて、次のステップＳ１３の処理に進むと、このステップＳ１３において、レンズ駆動処理が実行される。ここで行なわれるレンズ駆動は、撮影レンズを構成する各レンズ群のうち焦点調節のためのフォーカシングレンズを、上述のステップＳ９におけるＡＦ処理にて算出された被写体距離に対応する位置へと移動させるフォーカシングレンズの駆動処理である。その後、ステップＳ１４の処理に進む。
【００４８】
ステップＳ１４において、シャッター駆動回路３１によるシャッター機構部８の駆動制御のうちシャッターオン処理が実行される。その後、ステップＳ１５の処理に進む。
【００４９】
ステップＳ１５において、所定時間（シャッター制御秒時；Ｓｈｔ＿ｔｉｍｅ）が経過したか否かの確認が行なわれる。ここで、所定時間の経過を待ち、当該所定時間が経過したことが確認されると、次のステップＳ１６の処理に進む。
【００５０】
ステップＳ１６において、シャッター駆動部７によるシャッター機構部８の駆動制御のうちシャッターオフ処理が実行される。その後、ステップＳ１７の処理に進む。
【００５１】
ステップＳ１７において、レンズ駆動処理が実行され、フォーカシングレンズは所定の初期位置に復帰する。その後、ステップＳ１８の処理に進む。
【００５２】
ステップＳ１８において、フイルム巻き上げ処理が実行される。その後、上述のステップＳ２の処理に戻り、以降の処理を繰り返す。
【００５３】
次に、上述の図５におけるステップＳ８の測光処理の詳細について、図６によって以下に説明する。
【００５４】
まず、ステップＳ２１において、測光センサ処理回路である測光部１がオン状態とされる。その後、ステップＳ２２の処理に進む。
【００５５】
ステップＳ２２において、測光処理が実行される。この測光処理は、測光部１のＡＥセンサ１１によって被写体からの光束を受けて光電変換を行ない、これによって得られる被写体輝度を表わす電気信号に基づいて測光処理部１２が輝度情報を算出する信号処理である。その後、ステップＳ２３の処理に進む。
【００５６】
ステップＳ２３において、測光センサ処理回路である測光部１がオフ状態とされる。その後、ステップＳ２４の処理に進む。
【００５７】
ステップＳ２４において、上記測光処理部１２から上述のステップＳ２２において算出された測光データの読み出しが行なわれる。その後、ステップＳ２５の処理に進む。
【００５８】
ステップＳ２５において、測光部１のＢｖ値演算部１３は、上述のステップＳ２４において読み出された測光データに基づいて輝度値（Ｂｖ値）を演算し出力する。その後、この測光処理シーケンスを終了し、図５の処理シーケンスに復帰する（リターン）。
【００５９】
次に、上述の図５におけるステップＳ１０のＡＥ演算処理の詳細について、図７によって以下に説明する。
【００６０】
まず、ステップＳ４１において、本実施形態の露出制御装置１０が適用されるカメラの内部に装填されているパトローネのＤＸコードからＤＸ接片１４を介してＤＸ接片情報値を読み込む処理が接片信号処理部１５によって実行される。その後、ステップＳ４２の処理に進む。
【００６１】
ステップＳ４２において、上述のステップＳ４１の処理で取得したＤＸ接片情報値に基づいてＳｖ値演算部１６によるＳｖ値演算処理が実行される。その後、ステップＳ４３の処理に進む。
【００６２】
即ち、上述のステップＳ４１〜Ｓ４１の処理では、フイルム感度検出部２がフイルム感度情報を取得する処理となっている。
【００６３】
次に、ステップＳ４３において、絞り値演算部３のＡｖ値演算部２２は、焦点距離演算部１９により取得した焦点距離値と（図５のステップＳ５参照）と被写体距離演算部２１により取得した被写体距離値（図５のステップＳ９参照）とに基づいて、図８に示す開放絞り値補正データ表（絞り値情報記憶部１７に予め記憶されている規定のデータ表）を参照して絞り補正値を決定する。
【００６４】
ここで、図８の開放絞り値補正データ表について説明する。
【００６５】
通常の場合、ズームレンズにおいては、設定される焦点距離値に応じて開放Ｆナンバーが変動するものがある。また、所定の焦点距離に設定されている場合においても、フォーカス位置（被写体距離値又は撮影距離値）の変動に伴って開放絞り値（Ａｖ値）が若干変動する傾向がある。これを補正するための補正データを表わすものが図８に示す開放絞り値補正データ表である。
【００６６】
この開放絞り値補正データ表においては、縦軸に撮影距離値（被写体距離値）を、横軸にズームエンコーダ１８のデータ値、即ち焦点距離値をとり、両者の値に基づいて、そのときの開放絞り値に対して加えるべき補正値を得るための規定データ表である。同表においては、補正値の単位を０．１２５Ａｖとしている。またズームエンコーダの数値（焦点距離値）は大きくなるほど撮影レンズの焦点距離が長焦点距離側に設定されるものとしている。
【００６７】
ここで、例えば撮影レンズ（ズームレンズ）の焦点距離値が望遠端寄りに設定され（図８においてｘｘ＝６）、撮影距離（被写体距離値）が近接側であるとき（図８においてｙｙ＝７）の補正値は、図８の表から「３」となる。したがって、この場合には、３×０．１２５（Ａｖ）＝０．３７５（Ａｖ）の補正値が決定される。
【００６８】
このようにして絞り補正値が決定されると、次のステップＳ４４のの処理に進む。
【００６９】
ステップＳ４４において、絞り値演算部３のＡｖ値演算部２２は、上述のステップＳ６の処理で算出した開放Ｆナンバーと上述のステップＳ４３の処理で算出した絞り補正値とに基づいてＡｖ値の演算処理を実行する。その後、ステップＳ４５の処理に進む。
【００７０】
ステップＳ４５において、シャッター制御データ演算部５の第１のＥｖ値演算部２３は、上述のステップＳ２５の処理で算出されたＢｖ値と上述のステップＳ４２の処理で算出されたＳｖ値とに基づいて第１のＥｖ値であるＥＶ１を算出する演算処理、即ち
ＥＶ１＝Ｂｖ＋Ｓｖ
を実行する。その後、ステップＳ４６の処理に進む。
【００７１】
ステップＳ４６において、秒時圧縮データ条件記憶部２７から条件データ（ＡＶＯＷ・ＳＶ１００）の読み込み処理を行なう。その後、ステップＳ４７の処理に進む。
【００７２】
ステップＳ４７において、シャッター制御データ演算部５の第２のＥｖ値演算部２４は、上述のステップＳ４５の処理で算出されたＥＶ１値と上述のステップＳ４４の処理で算出されたＡｖ値と上述のステップＳ４６の処理で読み込んだ条件データＡＶＯＷ及びＳＶ１００とに基づいて第２のＥｖ値であるＥＶ２を算出する演算処理、即ち
ＥＶ２＝ＥＶ１−（ＡＶ−ＡＶＯＷ＋ＳＶ１００）
を実行する。その後、ステップＳ４８の処理に進む。
【００７３】
ステップＳ４８において、シャッター制御データ演算部５のうねり領域判断部２５は、うねりポイントデータ（ＥＶＳＡＮ２・ＥＶＤＡＩ１）の読み込みを行なう。ここで、うねりポイントデータとは、うねり領域の範囲を示す所定のデータとしており、秒時圧縮データ条件記憶部２７に予め記憶されているものである。その後、ステップＳ４９の処理に進む。
【００７４】
ステップＳ４９において、シャッター制御データ演算部５のうねり領域判断部２５は、上述のステップＳ４７の処理で算出した第２のＥＶ値（ＥＶ２）と上述のステップＳ４８の処理で読み込んだ二つのうねりポイントデータの中間値、即ち、（ＥＶＳＡＮ２＋ＥＶＤＡＩ１）×０．５との比較を行なって、第２のＥＶ値（ＥＶ２）が三角領域に含まれるか台形領域に含まれるかを判断する処理を実行する。ここで、
ＥＶ２＞（ＥＶＳＡＮ２＋ＥＶＤＡＩ１）×０．５
の条件が満たされる場合には、第２のＥＶ値（ＥＶ２）は三角領域にあると判断されてステップＳ５０の処理に進む。また、それ以外の場合には、第２のＥＶ値（ＥＶ２）が台形領域にあると判断されてステップＳ５４の処理に進む。
【００７５】
上述のステップＳ４９の処理で第２のＥＶ値（ＥＶ２）が三角領域にあると判断されてステップＳ５０の処理に進むと、このステップＳ５０において、第２のＥＶ値（ＥＶ２）と一方のうねりポイントデータＥＶＳＡＮ２との比較が行なわれる。ここで、
ＥＶ２＜ＥＶＳＡＮ２
の条件が満たされる場合には、次のステップＳ５１の処理に進み、このステップＳ５１において、ＥＶ２をＥＶＳＡＮ２に置き換える処理、即ち
ＥＶ２＝ＥＶＳＡＮ２
とする処理が行なわれる。そして、次のステップＳ５２の処理に進む。また、ここで、
ＥＶ２＜ＥＶＳＡＮ２
の条件を満たしていない場合には、すぐにステップＳ５２の処理に進む。このように、上述のステップＳ５０〜Ｓ５１の処理によって、本露出制御装置１０によって行なわれる露出制御について、うねり領域における露出データが除外されることになる。
【００７６】
次に、ステップＳ５２において、シャッター制御データ演算部５の制御秒時演算部２６は、秒時圧縮データ記憶部４から三角領域に対応する秒時圧縮データ（ＴＤＳＡＮ１・ＴＤＳＡＮ２）の読み込み処理を実行する。その後、ステップＳ５３の処理に進む。
【００７７】
ここで、秒時圧縮データ記憶部４に記憶されている圧縮データは、上述したように予め決められた複数の被写体輝度状態（露出値；Ｅｖ値）に対してそれぞれ狙いの露出特性を得るためのシャッター制御秒時（秒時データ；Ｔｖ値）のデータを圧縮した形態のものである。この秒時圧縮データ記憶部４に記憶されている圧縮データ（記憶データ）としては、図９及び図１０に示すように、例えばレンズシャッターの開閉動作時にシャッター開口が全開とならない領域（三角領域）に対応する秒時圧縮データとしてのＴＤＳＡＮ１（第４のデータ）及びＴＤＳＡＮ２（第３のデータ）と、レンズシャッターの開閉動作時にシャッター開口が全開となる領域（台形領域）に対応する秒時圧縮データとしてのＴＤＤＡＩ１（第２のデータ）及びＴＤＤＡＩ２（第１のデータ）とを少なくとも有している。
【００７８】
そして、この場合において台形領域に対応する秒時圧縮データのうち第２のデータであるＴＤＤＡＩ１と、三角領域に対応する秒時圧縮データのうち第３のデータであるＴＤＳＡＮ２とは、レンズシャッターの開閉動作時のシャッター開口が漸開状態から全開状態になる際の境界点の近傍のデータ、即ちうねり領域のデータとしている。
【００７９】
本実施形態においては、この二つの圧縮データ、即ちＴＤＤＡＩ１（第２のデータ）とＴＤＳＡＮ２（第３のデータ）とが、うねりポイントデータ（ＥＶＤＡＩ１・ＥＶＳＡＮ２）に対応させている。
【００８０】
したがって、例えばＥＶ２＝ＥＶＳＡＮ１に対応する秒時圧縮データでありＴＤＳＡＮ１（第４のデータ）で露出した際の開口波形は、図１１に示すようになる。つまり、ＴＤＳＡＮ１（第４のデータ）は、露出量が三角領域となる場合であって被写体輝度状態が高輝度側のデータである。
【００８１】
また、例えばＥＶ２＝ＥＶＳＡＮ２に対応する秒時圧縮データでありＴＤＳＡＮ２（第３のデータ）で露出した際の開口波形は、図１２に示すようになる。つまり、ＴＤＳＡＮ２（第３のデータ）は、露出量が三角領域となる場合であって被写体輝度状態が低輝度側のデータである。
【００８２】
そして、例えばＥＶ２＝ＥＶＤＡＩ１に対応する秒時圧縮データでありＴＤＤＡＩ１（第２のデータ）で露出した際の開口波形は、図１３に示すようになる。つまり、ＴＤＤＡＩ１（第２のデータ）は、露出量が台形領域となる場合であって被写体輝度状態が高輝度側のデータである。
【００８３】
また、例えばＥＶ２＝ＥＶＤＡＩ２に対応する秒時圧縮データでありＴＤＤＡＩ２（第１のデータ）で露出した際の開口波形は、図１４に示すようになる。つまり、ＴＤＤＡＩ２（第１のデータ）は、露出量が台形領域となる場合であって被写体輝度状態が低輝度側のデータである。
【００８４】
図７に戻って、ステップＳ５３において、上述のステップＳ５２の処理で読み込んだ秒時圧縮データに基づいてＥＶ２に対する補間を行なって、対応するテーブルデータ（ＴＤ）を算出する秒時圧縮データ補間演算処理が実行される。この圧縮データ補間演算処理は、次に示す式で表わされる。即ち、
ＴＤ＝（ＥＶ２−ＥＶＳＡＮ２）
×（ＴＤＳＡＮ１−ＴＤＳＡＮ２）／（ＥＶＳＡＮ１−ＥＶＳＡＮ２）
＋ＴＤＳＡＮ２
その後、ステップＳ５８の処理に進む。
【００８５】
一方、上述のステップＳ４９の処理で第２のＥＶ値（ＥＶ２）が台形領域にあると判断されてステップＳ５４の処理に進むと、このステップＳ５４において第２のＥＶ値（ＥＶ２）と他方のうねりポイントデータＥＶＤＡＩ１との比較が行なわれる。ここで、
ＥＶ２＞ＥＶＤＡＩ１
の条件が満たされる場合には、次のステップＳ５５の処理に進み、このステップＳ５５において、ＥＶ２をＥＶＤＡＩ１に置き換える処理、即ち
ＥＶ２＝ＥＶＤＡＩ１
とする処理が行なわれる。そして、次のステップＳ５６の処理に進む。また、ここで、
ＥＶ２＞ＥＶＤＡＩ１
の条件を満たしていない場合には、すぐにステップＳ５６の処理に進む。このように、上述のステップＳ５４〜Ｓ５５の処理によって、本露出制御装置１０によって行なわれる露出制御について、うねり領域における露出データが除外されることになる。
【００８６】
次に、ステップＳ５６において、シャッター制御データ演算部５の制御秒時演算部２６は、秒時圧縮データ記憶部４から台形領域に対応する秒時圧縮データ（ＴＤＤＡＩ１・ＴＤＤＡＩ２）の読み込み処理を実行する。その後、ステップＳ５７の処理に進む。
【００８７】
ステップＳ５７において、上述のステップＳ５６の処理で読み込んだ秒時圧縮データに基づいてＥＶ２に対する補間を行なって、対応するテーブルデータ（ＴＤ）を算出する秒時圧縮データ補間演算処理が実行される。この圧縮データ補間演算処理は、次に示す式で表わされる。即ち、
ＴＤ＝ＴＤＤＡＩ１−（ＥＶＤＡＩ１−ＥＶＤＡＩ２）
×（ＴＤＤＡＩ１−ＴＤＤＡＩ２）／（ＥＶＤＡＩ１−ＥＶＤＡＩ２）
その後、ステップＳ５８の処理に進む。
【００８８】
こうして算出されたテーブルデータ（ＴＤ）は、ステップＳ５８において、データ伸長部６によって対数伸長処理が施され、シャッター制御秒時が次式によって決定される。
【００８９】
Ｓｈｔ＿ｔｉｍｅ＝２−ＴＤ
その後、ステップＳ５９の処理に進む。
【００９０】
ステップＳ５９において、上述のステップＳ５８の処理で算出されたシャッター制御秒時Ｓｈｔ＿ｔｉｍｅが所定時間以上であるか否かの確認がなされる。ここで、シャッター制御秒時Ｓｈｔ＿ｔｉｍｅが所定時間以上である場合には、ステップＳ６０の処理に進み、このステップＳ６０において、シャッター制御秒時Ｓｈｔ＿ｔｉｍｅを制御最長秒時となるように丸める処理を行なう。その後、この一連のＡＥ演算処理を終了して、上述の図５のシーケンスに復帰する（リターン）。
【００９１】
また、上述のステップＳ５９において、シャッター制御秒時Ｓｈｔ＿ｔｉｍｅが所定時間以上ではないことが確認された場合には、すぐにこの一連のＡＥ演算処理を終了して、上述の図５のシーケンスに復帰する（リターン）。
【００９２】
以上説明したように上記第１の実施形態によれば、予め決められた複数の被写体輝度状態（Ｅｖ値）に対してそれぞれ狙いの露出特性を得るためのシャッター制御秒時データ（Ｔｖ値）の圧縮データが記憶されている秒時圧縮データ記憶部４を設け、測光部１で取得したＢｖ値とフイルム感度検出部２で取得したＳｖ値と絞り値演算部３で取得したＡｖ値と上記秒時圧縮データ記憶部４に記憶されている圧縮データ（記憶データ）に基づいて撮影時のシャッター制御秒時を算出するようにしている。これにより、予め保持しておくべきデータの記憶容量が少なくても、長秒時から短秒時までの所定の範囲の秒時において狙いの露出特性を得るための制御を行なうことができる。
【００９３】
また、シャッター機構において機械的に生じる露出の偏差（バラツキ）に対応するため、例えばうねり領域における露出分を除外して露出制御を行なうようにしていることから、より正確な露出制御を実行することができる。
【図面の簡単な説明】
【００９４】
【図１】本発明の一実施形態のカメラの露出制御装置の主たる構成を示すブロック構成図。
【図２】図１の露出制御装置の主たる構成の詳細を示すブロック構成図。
【図３】図１の露出制御装置が用いられるカメラのレンズシャッターの動作を説明する図であって、シャッター羽根の開口と時間とによって決定される露出量を示す図。
【図４】図３の一部を拡大して示す図。
【図５】図１の露出制御装置を適用したカメラの概略的な作用を示すフローチャート。
【図６】図５の処理シーケンスのうちの一部である測光処理シーケンスの詳細を示すフローチャート。
【図７】図５の処理シーケンスのうちの一部であるＡＥ演算処理シーケンスの詳細を示すフローチャート。
【図８】図１の露出制御装置において被写体距離値と焦点距離値とに基づく開放絞り値補正データの表。
【図９】図１の露出制御装置における第２のＥｖ値と秒時圧縮データとの関係を示す図。
【図１０】図１の露出制御装置における第２のＥｖ値と秒時圧縮データとの関係の具体例を示す表。
【図１１】図１の露出制御装置においてＥＶ２＝ＥＶＳＡＮ１に対応する秒時圧縮データ（ＴＤＳＡＮ１；第４のデータ）で露出した際の開口波形の例を示す図。
【図１２】図１の露出制御装置においてＥＶ２＝ＥＶＳＡＮ２に対応する秒時圧縮データ（ＴＤＳＡＮ２；第３のデータ）で露出した際の開口波形の例を示す図。
【図１３】図１の露出制御装置においてＥＶ２＝ＥＶＤＡＩ１に対応する秒時圧縮データ（ＴＤＤＡＩ１；第２のデータ）で露出した際の開口波形の例を示す図。
【図１４】図１の露出制御装置においてＥＶ２＝ＥＶＤＡＩ２に対応する秒時圧縮データ（ＴＤＤＡＩ２；第１のデータ）で露出した際の開口波形の例を示す図。
【符号の説明】
【００９５】
１……測光部
２……フイルム感度検出部
３……絞り値演算部
４……秒時圧縮データ記憶部
５……シャッター制御データ演算部
６……データ伸長部
７……シャッター駆動部
８……シャッター機構部
１０……露出制御装置
１１……ＡＥセンサ
１２……測光処理部
１３……Ｂｖ値演算部１３
１４……ＤＸ接片
１５……接片信号処理部
１６……Ｓｖ値演算部
１７……絞り値情報記憶部
１８……ズームエンコーダ
１９……焦点距離演算部
２０……ＡＦセンサ
２１……被写体距離演算部
２２……Ａｖ値演算部２２
２３……第１のＥｖ値演算部
２４……第２のＥｖ値演算部
２５……うねり領域判断部
２６……制御秒時演算部
２７……秒時圧縮データ条件記憶部
２９……秒時制御部
３０……制御ポート
３１……シャッター駆動回路
代理人弁理士伊藤進
【図１】
2005141095.tif 000003
【図２】
2005141095.tif 000004
【図３】
2005141095.tif 000005
【図４】
2005141095.tif 000006
【図５】
2005141095.tif 000007
【図６】
2005141095.tif 000008
【図７】
2005141095.tif 000009
【図８】
2005141095.tif 000010
【図９】
2005141095.tif 000011
【図１０】
2005141095.tif 000012
【図１１】
2005141095.tif 000013
【図１２】
2005141095.tif 000014
【図１３】
2005141095.tif 000015
【図１４】
2005141095.tif 000016